(57)【要約】      （修正有）【課題】従来よりも滑り止め効果に優れた路面標示リング及びその使用方法を提供する。【解決手段】路面標示リングは、舗装面に形成された環状溝部に埋め込まれる埋設筒部３０と、埋設筒部３０の上端部に一体形成されて埋設筒部３０の周方向に延びると共に、周方向の一部に水抜き用の切欠部を有した平面視Ｃ字形をなし、舗装面より上方に膨出する膨出円弧部２０と、膨出円弧部２０のうち径方向の外側に向かって下り傾斜した外周面、及び径方向内側に向かって下り傾斜した、内周面の両方の周方向に沿って湾曲して延びた、線状反射部を備えている。【選択図】図３
2014088693.tif 000002
【特許請求の範囲】
【請求項１】
舗装面に形成された環状溝部に埋め込まれる埋設筒部と、
前記埋設筒部の上端部に一体形成されて前記埋設筒部の周方向に延びると共に、周方向の一部に水抜き用の切欠部を有した平面視Ｃ字形をなし、前記舗装面より上方に膨出する膨出円弧部と、
前記膨出円弧部のうち径方向の外側に向かって下り傾斜した外周面及び径方向内側に向かって下り傾斜した内周面の一方又は両方の周方向に沿って湾曲して延びた線状反射部を備えたことを特徴とする路面標示リング。
【請求項２】
断面円形の線材を反射材で被覆してなる線状反射部材を、前記膨出円弧部に形成された反射部材収容溝に嵌め込んで前記線状反射部としたことを特徴とする請求項１に記載の路面標示リング。
【請求項３】
前記膨出円弧部の外周面及び内周面の一方又は両方に設けられて前記線状反射部と平行に延びた蛍光性又は蓄光性を有する線状発光部を備えたことを特徴とする請求項２に記載の路面標示リング。
【請求項４】
蛍光性又は蓄光性を有する発光剤を含有して円弧状に成形された線状発光部材を、前記膨出円弧部のうち前記線状反射部材と平行に形成された発光部材収容部に嵌め込んで、前記線状発光部としたことを特徴とする請求項３に記載の路面標示リング。
【請求項５】
前記線状発光部材を前記反射部材収容溝の上方に張り出させて、前記線状反射部材にオーバーラップさせたことを特徴とする請求項４に記載の路面標示リング。
【請求項６】
前記埋設筒部の外周面及び内周面の一方又は両方に形成されて前記埋設筒部の軸方向に延びかつ下方に開放した溝状をなし、下端部から挿入された線状部材の周面の一部を前記埋設筒部から突出させた状態に保持する線材保持溝を備えたことを特徴とする請求項１乃至５の何れか１の請求項に記載の路面標示リング。
【請求項７】
前記線材保持溝は上方に向かうに従って浅くなるように構成されたことを特徴とする請求項６に記載の路面標示リング。
【請求項８】
顔料及び／又は光触媒がコンパウンドされたエラストマで成形してなる路面標示リングの本体に、前記線状反射部材を固定して備えたことを特徴とする請求項２乃至５の何れか１の請求項に記載の路面標示リング。
【請求項９】
請求項３乃至５の何れか１の請求項に記載の路面標示リングに紫外線を含む光を照射することを特徴とする路面標示リングの使用方法。
【発明の詳細な説明】
【技術分野】
【０００１】
本発明は、舗装面に形成された環状溝部に嵌め込んで使用することが可能な路面標示リング及びその使用方法に関する。
【背景技術】
【０００２】
従来の舗装面に設置される路面標示物としては、道路のセンターラインや外側線、横断歩道、交差点などに設置される、所謂「道路鋲」と呼ばれるものが知られている（例えば、特許文献１参照）
【先行技術文献】
【特許文献】
【０００３】
【特許文献１】特開２０１２−１２７１４２号公報（段落［０００２］、第４図）
【発明の概要】
【発明が解決しようとする課題】
【０００４】
ところで、従来の道路鋲は、金属、樹脂、ゴム等、様々な材質のものが提案されているが、何れもブロック状であるため、歩行者や二輪車が乗り上げた際に滑り易いという問題があった。
【０００５】
本発明は、上記事情に鑑みてなされたものであって、従来よりも滑り止め効果に優れた路面標示リング及びその使用方法を提供することを目的とする。
【課題を解決するための手段】
【０００６】
上記目的を達成するためになされた請求項１の発明に係る路面標示リングは、舗装面に形成された環状溝部に埋め込まれる埋設筒部と、埋設筒部の上端部に一体形成されて埋設筒部の周方向に延びると共に、周方向の一部に水抜き用の切欠部を有した平面視Ｃ字形をなし、舗装面より上方に膨出する膨出円弧部と、膨出円弧部のうち径方向の外側に向かって下り傾斜した外周面及び径方向内側に向かって下り傾斜した内周面の一方又は両方の周方向に沿って湾曲して延びた線状反射部を備えたところに特徴を有する。
【０００７】
請求項２の発明は、請求項１に記載の路面標示リングにおいて、断面円形の線材を反射材で被覆してなる線状反射部材を、膨出円弧部に形成された反射部材収容溝に嵌め込んで線状反射部としたところに特徴を有する。
【０００８】
請求項３の発明は、請求項２に記載の路面標示リングにおいて、膨出円弧部の外周面及び内周面の一方又は両方に設けられて線状反射部と平行に延びた蛍光性又は蓄光性を有する線状発光部を備えたところに特徴を有する。
【０００９】
請求項４の発明は、請求項３に記載の路面標示リングにおいて、蛍光性又は蓄光性を有する発光剤を含有して円弧状に成形された線状発光部材を、膨出円弧部のうち線状反射部材と平行に形成された発光部材収容部に嵌め込んで、線状発光部としたところに特徴を有する。
【００１０】
請求項５の発明は、請求項４に記載の路面標示リングにおいて、線状発光部材を反射部材収容溝の上方に張り出させて、線状反射部材にオーバーラップさせたところに特徴を有する。
【００１１】
請求項６の発明は、請求項１乃至５の何れか１の請求項に記載の路面標示リングにおいて、埋設筒部の外周面及び内周面の一方又は両方に形成されて埋設筒部の軸方向に延びかつ下方に開放した溝状をなし、下端部から挿入された線状部材の周面の一部を埋設筒部から突出させた状態に保持する線材保持溝を備えたところに特徴を有する。
【００１２】
請求項７の発明は、請求項６に記載の路面標示リングにおいて、線材保持溝は上方に向かうに従って浅くなるように構成されたところに特徴を有する。
【００１３】
請求項８の発明は、請求項２乃至５の何れか１の請求項に記載の路面標示リングにおいて、顔料及び／又は光触媒がコンパウンドされたエラストマで成形してなる路面標示リングの本体に、線状反射部材を固定して備えたところに特徴を有する。
【００１４】
請求項９の発明に係る路面標示リングの使用方法は、請求項３乃至５の何れか１の請求項に記載の路面標示リングに紫外線を含む光を照射するところに特徴を有する。
【発明の効果】
【００１５】
［請求項１及び２の発明］
請求項１の発明によれば、路面標示リングを舗装面に形成された環状溝部に嵌め込んで設置すると、膨出円弧部が舗装面の上方に突出する。この膨出円弧部は、平面視Ｃ字形をなしており、その膨出円弧部で囲まれた中央部が凹所となるから、従来のブロック状をなした道路鋲のように滑ることはなく、むしろ、滑り止めに利用することができる。また、路面標示リングは、筒状をなした埋設筒部を環状溝部に埋め込んで設置されるから、舗装面に設置された路面標示リングを外れ難くすることができる。しかも、舗装面より上方に膨出する膨出円弧部の外周面及び内周面の一方又は両方には、その周方向に沿って湾曲して延びた線状反射部が備えられたので、その線状反射部で反射された反射光によって、夜間や暗所において路面標示リングを視認することが可能になる。また、線状反射部は、膨出円弧部の側方、上方、斜め上方などあらゆる方向からの光を反射することができる。特に、膨出円弧部の外周面及び内周面の両方に反射部を設ければ、膨出円弧部の周囲のあらゆる方向からの光を反射することが可能になり、視認性がさらに向上する。また、一方向から入射した光を、膨出円弧部の外周面及び内周面の両方の反射部で反射させて、路面標示リングを立体的に視認させることができる。
【００１６】
ここで、膨出円弧部に光を反射する塗料を線状に塗布して線状反射部としてもよいし、膨出円弧部に光を反射する反射テープを線状に貼付して線状反射部としてもよい。また、膨出円弧部の外周面及び内周面に沿って光を反射する複数の反射ビーズを整列配置して線状反射部としてもよいし、請求項２の発明のように、断面円形の線材を光を反射する反射材で被覆してなる線状反射部材を膨出円弧部の反射部材収容溝に嵌め込んで線状反射部としてもよい。また、線状反射部材は、線材の外周面を光を反射する塗料で被覆したものでもよいし、線材の外周面に反射テープを巻き付けたものでもよい。そして、請求項２によれば、膨出円弧部の外周面に沿って設けられた線状反射部の反射面を、径方向の外側に向かって凸になった曲面で構成することができる。また、膨出円弧部の内周面に沿って設けられた線状反射部の反射面を、径方向の内側に向かって凸になった曲面で構成することができる。
【００１７】
［請求項３及び４の発明］
請求項３によれば、蛍光性を有する線状発光部を備えた場合には、線状発光部に入射した紫外線を含む光によって蛍光発光させることができ、明け方や夕方の薄暗い時間帯や、薄暗い場所における視認性を特に向上させることができる。また、蓄光性を有する線状発光部を備えた場合は、太陽光や照明器具の光に含まれる紫外線のエネルギーを線状発光部に蓄えて発光させることができ、夜間や急な停電時の暗闇においても、路面標示リングの視認性を確保することができる。しかも、線状発光部は、膨出円弧部の外周面及び内周面の一方又は両方に線状反射部と平行に延びているから、膨出円弧部の周囲のあらゆる方向から線状発光部の発光を視認することが可能である。
【００１８】
ここで、膨出円弧部に蛍光性又は蓄光性を有する発光塗料を線状に塗布して線状発光部としてもよいし、蛍光性又は蓄光性を有する発光テープを線状に貼付して線状発光部としてもよい。或いは、請求項４の発明のように、蛍光性又は蓄光性を有する発光剤を含有して円弧状に成形された線状発光部材を膨出円弧部の発光部材収容部に嵌め込んで線状発光部としてもよい。
【００１９】
［請求項５の発明］
請求項５の発明によれば、線状発光部材を反射部材収容溝の上方に張り出させて、線状反射部材にオーバーラップさせたことで、線状反射部材を反射部材収容溝に対して抜け止めすることができる。また、線状反射部材が、車両や歩行者に直接踏まれないようにすることができる。
【００２０】
［請求項６の発明］
請求項６の発明によれば、舗装面の環状溝部と埋設筒部との嵌合が緩くて路面標示リングがガタつく場合には、埋設筒部の線材保持溝に線状部材を装着することで、ガタつきを解消することができる。即ち、線材保持溝の下端部から挿入された線状部材は、その周面の一部が線材保持溝からはみ出して埋設筒部の外周面又は内周面から突出する。その突出により、埋設筒部と環状溝部とをフィットさせることができ、路面標示リングのガタつきを解消することができる。
【００２１】
［請求項７の発明］
請求項７の発明によれば、線状部材を埋設筒部に装着した状態で埋設筒部を環状溝部に挿入する際に、線状部材の下端部が環状溝部の縁部に引っ掛からないようにすることができ、環状溝部に対する路面標示リングの嵌め込み作業をスムーズに行うことができる。
【００２２】
［請求項８の発明］
請求項８の発明によれば、光触媒をコンパウンドすれば、その防汚作用により、膨出円弧部に付着した汚れを分解したり、ぬめりを抑制することができる。また、膨出円弧部の表面が擦り減っても内部から新たな光触媒が露出するので、防汚作用を長期間維持することができる。また、顔料によって路面標示リングの本体を着色することで、昼間における視認性の向上又は装飾性の向上を図ることができる。また、蛍光性又は蓄光性を有する顔料をコンパウンドすることで、夜間における視認性をより向上させることができる。また、路面標示リングの本体をエラストマで構成したので、タイヤの滑り止め効果に優れ、踏みつけたときの衝撃を緩和することができる。
【００２３】
［請求項９の発明］
請求項９の発明によれば、紫外線を含む光が線状反射部で反射されると共に、紫外線を含む光によって線状発光部が発光するので、夜間又は暗所における路面標示リングの視認性を確保することができる。また、線状反射部の反射光及び線状発光部の発光を、膨出円弧部の周囲のあらゆる方向から視認することができる。
【図面の簡単な説明】
【００２４】
【図１】本発明の一実施形態に係る路面標示リングの平面図
【図２】路面標示リングの底面図
【図３】図１のＸ−Ｘ切断面における断面図
【図４】図１のＹ−Ｙ切断面における断面図
【図５】線状発光部材が取り外された路面標示リングの部分拡大断面図
【図６】線状反射部材が取り外された路面標示リングの部分拡大断面図
【図７】路面標示リングの本体の平面図
【図８】図７のＺ−Ｚ切断面における断面図
【図９】路面標示リングを環状溝部に嵌め込んだ状態の断面図
【図１０】参考例に係る路面標示リングの平面図
【図１１】図１０のＶ−Ｖ切断面における断面図
【発明を実施するための形態】
【００２５】
以下、本発明の一実施形態を、図１〜図９に基づいて説明する。図１に示すように、路面標示リング１０は平面視円環状をなしており、図９に示すように舗装面Ｓ１に形成された環状溝部Ｍ１に嵌め込んで使用される。環状溝部Ｍ１は、例えば、図示しない回転掘削工具によって舗装面Ｓ１を掘削したものであり、径方向の外側部分が内側部分に対して段付き状に浅くなった円筒形構造をなしている。
【００２６】
路面標示リング１０は、環状溝部Ｍ１に埋め込まれる埋設筒部３０と、埋設筒部３０の上端部に一体形成された膨出円弧部２０とを備えている。また、膨出円弧部２０は、後述する線状反射部材４０と線状発光部材５０とを備えており、それら線状反射部材４０と線状発光部材５０とを除いた膨出円弧部２０の本体２１と埋設筒部３０とが一体成形されている（図８参照）。この一体成形品である路面標示リング１０の本体１１は、光触媒（例えば、酸化チタン）がコンパウンドされたエラストマ（例えば、軟質塩化ビニル樹脂）の成形品であって、例えば、白、橙、青、その他の鮮明色に着色されている。
【００２７】
埋設筒部３０は、上記した環状溝部Ｍ１の内部形状と合致した形状をなしている。即ち、埋設筒部３０は、環状溝部Ｍ１の深溝部分に嵌合する円筒部３１と、円筒部３１の上端外周面から側方に張り出して環状溝部Ｍ１の浅溝部分に嵌合する鍔部３２とを有している。また、環状溝部Ｍ１への挿入作業を容易にするために、円筒部３１の下端部は先細りの円錐形となっている。そして、路面標示リング１０を環状溝部Ｍ１に嵌め込んだ場合に、鍔部３２の上面と、舗装面Ｓ１とが略面一になるように構成されている。なお、筒状をなした埋設筒部３０を環状溝部Ｍ１に埋め込んで設置するようにしたことで、舗装面Ｓ１に設置された路面標示リング１０が外れ難くなる。また、環状溝部Ｍ１に深溝部分と浅溝部分とを設けて、それらに円筒部３１と鍔部３２とをそれぞれ嵌合させたことで、さらに路面標示リング１０が外れ難くなる。
【００２８】
図２及び図３に示すように、埋設筒部３０の外周面及び内周面には、それぞれ複数の線材保持溝３３が形成されている。線材保持溝３３は、埋設筒部３０の軸方向に延びかつ下方に開放した断面円弧形の溝状をなしている。また、線材保持溝３３は、埋設筒部３０の下端部から上端部に向かうに従って徐々に浅くなるように構成されている。
【００２９】
詳細には、埋設筒部３０の外周面に形成された複数の線材保持溝３３は、埋設筒部３０の周方向で等間隔に配置されておりかつ、その中心軸が埋設筒部３０の下端部から上端部に向かうに従って埋設筒部３０の中心軸から離れるように傾斜している。
【００３０】
一方、埋設筒部３０の内周面に形成された複数の線材保持溝３３は、図２に示すように、外周面に形成された線材保持溝３３に対して周方向にずらして配置されており、その中心軸が埋設筒部３０の下端部から上端部に向かうに従って埋設筒部３０の中心軸に近づくように傾斜している。
【００３１】
これら線材保持溝３３は、軸方向の少なくとも一部で断面が優弧又は円になっており、線材保持溝３３の下端部から挿入された線状部材Ｌ１（図３及び図４参照）を保持することが可能となっている。線状部材Ｌ１は断面円形をなしており、その線状部材Ｌ１を線材保持溝３３に装着すると、線状部材Ｌ１の外周面の一部が線材保持溝３３からはみ出して埋設筒部３０の外周面又は内周面から突出する。環状溝部Ｍ１と埋設筒部３０との嵌合が緩くて路面標示リング１０がガタつく場合に、埋設筒部３０に線状部材Ｌ１を装着することで環状溝部Ｍ１と埋設筒部３０とをフィットさせることができ、路面標示リング１０のガタつきを無くすことができる。なお、線状部材Ｌ１はエラストマであることが好ましい。
【００３２】
ここで、上述したように、線材保持溝３３は、下端部から上端部に向かうに従って浅くなっているから、線状部材Ｌ１を装着した埋設筒部３０を環状溝部Ｍ１に挿入する際に、線状部材Ｌ１の下端部が環状溝部Ｍ１の縁部に引っ掛からないようにすることができ、環状溝部Ｍ１に対する路面標示リング１０の嵌め込み作業をスムーズに行うことができる。
【００３３】
路面標示リング１０のうち膨出円弧部２０は、埋設筒部３０の周方向に延びかつ周方向の一部に水抜き用の切欠部２２（図１及び図９参照）を有した平面視Ｃ字形をなしている。また、図３に示すように、膨出円弧部２０は埋設筒部３０の径方向内側に張り出しており、路面標示リング１０を環状溝部Ｍ１に嵌め込んだ状態では、図９に示すように、膨出円弧部２０の下面が舗装面Ｓ１に重ね合わされて、膨出円弧部２０の全体が舗装面Ｓ１より上方に膨出する。一方、切欠部２２の上面は舗装面Ｓ１と概ね面一になって、膨出円弧部２０の内側に入り込んだ雨水やゴミがスムーズに排出されるようになっている。
【００３４】
図３に示すように、膨出円弧部２０の断面は、なだらかな山形状（蒲鉾状）となっている。膨出円弧部２０の山頂部分には、複数のブロック状突部２３が形成されている。また、膨出円弧部２０の外面のうち山頂から径方向の外側に向かって下り傾斜した外周面と、山頂から径方向の内側に向かって下り傾斜した内周面には、それぞれ再帰反射性を有する線状反射部２４（図１参照）が設けられている。線状反射部２４は、路面標示リング１０の中心軸回りに約２７０度の範囲に亘って連続して延びている。
【００３５】
線状反射部２４は、路面標示リング１０の本体１１とは別部品の線状反射部材４０（図３参照）を、膨出円弧部２０に形成された反射部材収容溝２６に嵌め込んで構成されている。線状反射部材４０は、断面円形をなしたエラストマの線材の外周面に、再帰反射性を有する反射テープ（本発明の「反射材」に相当する）を簀巻き状に巻き付けた構造をなしている。一方、反射部材収容溝２６は、図６に示すように、断面円弧形の溝状をなしており、膨出円弧部２０の外周面及び内周面に沿って湾曲して延びている（図７参照）。なお、線状反射部材４０は接着剤によって固着してもよい。また、線状反射部材４０の芯材としての線材と埋設筒部３０に装着して使用される線状部材Ｌ１とを同一径とし、それらを共通の線状部品から切り分けて製作してもよい。
【００３６】
図１に示すように、膨出円弧部２０の外周面及び内周面には、蛍光性又は蓄光性を有する線状発光部２５が備えられている。線状発光部２５は、線状反射部２４と並行して同心円弧状に延びている。また、線状発光部２５は、膨出円弧部２０の周方向において線状反射部２４と同じ範囲、即ち、路面標示リング１０の中心軸回りに約２７０度の範囲に亘って連続して延びている。
【００３７】
線状発光部２５は、蛍光性又は蓄光性を有する発光剤を含有しかつ円弧状に成形された線状発光部材５０（図３参照）を、膨出円弧部２０（本体２１）に形成された発光部材収容部２７に嵌め込んで構成されている（図５参照）。なお、線状発光部材５０は、例えば、エラストマで構成されている。
【００３８】
図４に示すように、線状発光部材５０は、反射部材収容溝２６の上方に張り出して、線状反射部材４０にオーバーラップしている。より詳細には、図６に示すように、線状発光部材５０の上面は、線状発光部２５を構成する傾斜面５１となっている。線状発光部材５０の下面のうち、反射部材収容溝２６の上方に張り出した部分には、線状反射部材４０の断面形状に対応した円弧状の凹曲面５２が形成され、その凹曲面５２に隣接して凹凸部５３が形成されている。これら傾斜面５１、凹曲面５２及び凹凸部５３は、線状発光部材５０の全長に亘って連続している。
【００３９】
一方、発光部材収容部２７は、反射部材収容溝２６よりも膨出円弧部２０の山頂側に形成されており、反射部材収容溝２６と並行して延びている（図７参照）。発光部材収容部２７には、その全長に亘って凹凸部２８が形成されており、その凹凸部２８と線状発光部材５０の凹凸部５３とが凹凸係合している（図６参照）。反射部材収容溝２６に収容された線状反射部材４０に、線状発光部材５０をオーバーラップさせたことで、線状反射部材４０を反射部材収容溝２６に対して抜け止めすることができる。また、線状反射部材４０が車両や歩行者に直接踏まれないようにすることができるから、線状反射部材４０の反射性能を長期間維持することができる。なお、線状発光部材５０を接着剤によって固着或いは、膨出円弧部２０の本体２１と溶着（具体的には、振動溶着）してもよい。
【００４０】
本実施形態の構成は以上である。路面標示リング１０を舗装面Ｓ１に設置する場合には、まず、回転掘削工具によって舗装面Ｓ１に環状溝部Ｍ１を形成する。次に、環状溝部Ｍ１の中の掘削屑を除去して、路面標示リング１０を環状溝部Ｍ１に試し嵌めする。このとき、路面標示リング１０が環状溝部Ｍ１内でガタつく場合には、埋設筒部３０に線状部材Ｌ１を装着して埋設筒部３０と環状溝部Ｍ１とをフィットさせる。また、環状溝部Ｍ１の浅溝部分が深過ぎて、膨出円弧部２０がその浅溝部分に埋まってしまう場合には、浅溝部分と鍔部３２との間に図示しない板状スペーサを挟んで、膨出円弧部２０が舗装面Ｓ１の上方に膨出するように高さを調節する。
【００４１】
次に、一旦、路面標示リング１０を取り外し、路面標示リング１０と環状溝部Ｍ１及び舗装面Ｓ１との間の隙間を間詰めするための充填剤を環状溝部Ｍ１に注入する。そして最後に、路面標示リング１０を環状溝部Ｍ１に嵌め込む。このとき、切欠部２２が舗装面Ｓ１の勾配の下側になるように配置する。例えば、坂道の舗装面Ｓ１では、切欠部２２が坂下側になるように路面標示リング１０を配置する。また、一般的な舗装道路には、排水のための横断勾配が設けられているから、切欠部２２がその横断勾配の下側になるように路面標示リング１０を配置する。以上で路面標示リング１０の設置は完了である。
【００４２】
路面標示リング１０を環状溝部Ｍ１に埋め込んで設置すると、膨出円弧部２０が舗装面Ｓ１の上方に突出する。この膨出円弧部Ｓ１は、平面視Ｃ字形をなしており、その膨出円弧部Ｓ１で囲まれた中央部が凹所となるから（図９参照）、従来のブロック状をなした道路鋲のように滑ることはなく、むしろ、滑り止めに利用することができる。また、路面標示リング１０は、筒状をなした埋設筒部３０を舗装面Ｓ１に形成された環状溝部Ｍ１に埋め込んで設置されるから、舗装面Ｓ１に設置された路面標示リング１０を外れ難くすることができる。また、路面標示リング１０の本体１１、線状反射部材４０及び線状発光部材５０は、エラストマで構成されているから繰り返し踏まれても破損し難く、仮に欠損したとしても、その欠損片が通行の支障になることはない。
【００４３】
夜間又は暗所（トンネルや地下駐車場など）で路面標示リング１０（膨出円弧部２０）に対して光が照射されると、その光は線状反射部２４によって再帰反射される。例えば、車両のヘッドライトが線状反射部２４に照射された場合、その反射光を車両のドライバーが視認することができ、夜間や暗所でも路面標示リング１０の視認性を確保することができる。また、線状反射部２４は、膨出円弧部２０の外周面及び内周面の両方に設けられて、その周方向に沿って円弧状に延びているから、膨出円弧部２０の側方、上方、斜め上方などあらゆる方向からの光を再帰反射することが可能である。例えば、膨出円弧部２０の外周面のうち、切欠部２２の側方（図１における紙面下方）から光が照射された場合でも、膨出円弧部２０の内周面に沿って設けられた線状反射部２４によって光を再帰反射させることができるから、膨出円弧部２０の周囲の全方向からの光を再帰反射することができる。これにより、路面標示リング１０を、その周囲のあらゆる方向から視認することが可能になると共に、舗装面Ｓ１への設置に際して、光の入射方向を考慮した細かい角度調整の手間を省くことができる。
【００４４】
路面標示リング１０に備えた線状発光部２５が蛍光性を有するものであれば、線状発光部２５に照射された光（紫外線）によって線状発光部２５を蛍光発光させることができ、特に、明け方や夕方の薄暗い時間帯、或いは、薄暗い場所における視認性を向上させることができる。また、線状発光部２５が蓄光性を有するものであれば、太陽光や照明器具（例えば、蛍光灯、ブラックライトなど）の光（紫外線）のエネルギーを線状発光部２５に蓄えて発光させることができ、夜間や急な停電時の暗闇においても、路面標示リング１０の視認性を確保することができる。そして、線状発光部２５は、膨出円弧部２０の外周面及び内周面の両方に線状反射部２４と平行に延びているから、線状反射部２４と同様に、膨出円弧部２０の周囲のあらゆる方向から線状発光部２５の発光を視認することができる。これにより、夜間や暗所における路面標示リング１０の視認性がより向上する。
【００４５】
また、路面標示リング１０の本体１１は、白、橙、青、その他の鮮明色に着色されているから、昼間における路面標示リング１０の視認性が向上すると共に、装飾性が向上する。また、路面標示リング１０の本体１１は、光触媒をコンパウンドしたエラストマで構成されているから、光触媒の防汚作用によって膨出円弧部２０の表面に付着した汚れを分解したり、ぬめりを抑制することができる。また、タイヤとの摩擦等によって膨出円弧部２０の表面が擦り減っても、内部から新たな光触媒が露出するので防汚作用を長期間に亘って持続させることができる。さらに、路面標示リング１０の本体１１は適度な靭性を有するから、タイヤの滑り止め効果に優れ、踏みつけたときの衝撃を緩和することができる。
【００４６】
本実施形態の路面標示リング１０を、例えば、道路のセンターライン、外側線、横断歩道、停止線、駐車場の区画線上に設けておけば、夜間や暗所において、それらの存在をドライバーに明示することができる。また、舗装面Ｓ１に膨出円弧部２０による凹凸を形成することができるから、滑り止め効果だけでなく、振動によるドライバーへの注意喚起を行うことができる。
【００４７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４８】
（１）上記実施形態では、膨出円弧部２０の内周面と外周面の両方に線状反射部２４（線状反射部材４０）が備えられていたが、内周面と外周面の何れか一方だけに線状反射部２４（線状反射部材４０）を設けてもよい。
【００４９】
（２）また、線状反射部材４０は、断面円形の線材に反射テープを簀巻き状に巻き付けた構成であったが、線材の外周面を光を反射する塗料で被覆した構成でもよい。
【００５０】
（３）また、膨出円弧部２０に光を反射する塗料を線状に塗布して線状反射部２４としてもよいし、膨出円弧部２０に光を反射する反射テープを線状に貼付して線状反射部２４としてもよい。さらに、光を反射する複数の反射ビーズを膨出円弧部２０の外周面又は内周面に沿って整列配置して線状反射部２４としてもよい。
【００５１】
（４）上記実施形態では、線状反射部２４（線状反射部材４０）に加えて線状発光部２５（線状発光部材５０）を備えていたが、線状反射部２４のみを備えた構成（線状発光部２５を備えていない構成）でもよい。
【００５２】
（５）また、膨出円弧部２０の内周面と外周面の両方に線状発光部２５（線状発光部材５０）が備えられていたが、膨出円弧部２０の内周面と外周面の何れか一方だけに線状発光部２５（線状発光部材５０）を設けてもよい。
【００５３】
（６）また、膨出円弧部２０に蛍光性又は蓄光性を有する発光塗料を線状に塗布して線状発光部２５としてもよいし、膨出円弧部２０に蛍光性又は蓄光性を有する発光テープを線状に貼付して線状発光部２５としてもよい。
【００５４】
（７）上記実施形態において、路面標示リング１０の外周面又は内周面の一方に線状反射部２４（線状反射部材４０）のみを設け、他方に線状発光部２５（線状発光部材５０）のみを設けてもよい。
【００５５】
（８）上記実施形態において、路面標示リング１０に蛍光性を有する線状発光部２５（線状発光部材５０）と蓄光性を有する線状発光部２５（線状発光部材５０）の両方を設けてもよい。具体的には、膨出円弧部２０の外周面及び内周面の何れか一方に、蛍光性を有する線状発光部２５を設け、他方に蓄光性を有する線状発光部２５を設けてもよい。
【００５６】
（９）上記実施形態では、路面標示リング１０の本体１１を構成するエラストマに光触媒がコンパウンドされていたが、例えば、路面標示リング１０の本体１１が汚れの目立ち難い色（例えば、黒や灰色）であったり、ぬめりの発生し難い場所に設置される場合には、光触媒をコンパウンドしたものでなくてもよい。
【００５７】
（１０）路面標示リング１０の埋設筒部３０は、環状溝部Ｍ１の施工上、円形であることが好ましいが、膨出円弧部２０はその平面視が、円（真円）の周方向の一部を切り欠いたＣ字形でなくてもよく、例えば、楕円や長円、卵形の周方向の一部を切り欠いたＣ字形（馬蹄形）であってもよい。
【００５８】
（１１）本実施形態の路面標示リング１０は、屋外のコンクリートやアスファルトの舗装面Ｓ１だけでなく、屋内床（例えば、倉庫や工場の床）や外構床（例えば、玄関アプローチ）に設置してもよい。
【００５９】
（１２）本実施形態のように、路面標示リング１０の本体１１に光触媒がコンパウンドされておりかつ、膨出円弧部２０の外周面及び内周面の一方又は両方に線状発光部２５（線状発光部材５０）を備えた路面標示リング１０に対して、夜間、ブラックライトを照射して使用すれば、線状発光部２５を暗闇の中で発光させることができると共に、夜間においても、昼間と同様な光触媒の防汚作用を発揮させることができる。
【００６０】
（１３）上記実施形態では、路面標示リング１０の本体１１とは別部品の線状発光部材５０を、本体１１に嵌め込んで構成されていたが、蛍光顔料又は蓄光顔料をコンパウンドしたエラストマによって路面標示リング１０の本体１１を成形してもよい。このようにすれば、膨出円弧部２０の表面全体を光らせることができ、夜間における視認性がより向上する。
【００６１】
［参考例］
図１０及び図１１には、本発明の技術的範囲には含まれないが、本発明と同等の効果を奏する参考例としての路面標示リング１００が示されている。この路面標示リング１００は、前記実施形態の路面標示リング１０から、線状反射部２４（線状反射部材４０）及び線状発光部２５（線状発光部材５０）を排除したものであり、その他の構成は前記実施形態の路面標示リング１０と同じである。この路面標示リング１００は、舗装面Ｓ１の環状溝部Ｍ１に嵌め込んで設置したときに、平面視Ｃ字状の膨出円弧部２０が舗装面Ｓ１の上方に突出して、その膨出円弧部２０で囲まれた中央部が凹所となるから、従来のブロック状をなした道路鋲のように滑ることはなく、むしろ、滑り止めに利用することができる。ところで、本参考例の路面標示リング１００を、顔料によって白、橙、青など鮮明色に着色すれば、昼間における視認性が向上するものの、汚れが目立ち易くなるという問題が生じ得る。これに対し、光触媒がコンパウンドされたエラストマで路面標示リング１００を成形すると、光触媒を添加しなかったものに比べて、汚れやぬめりの発生を防止することができ、長期間に亘って路面標示リング１００をきれいな状態に保つことができる。具体的には、軟質塩化ビニル樹脂に対して、２〜５重量％の酸化チタンをコンパウンドして成形した路面標示リング１００は、酸化チタンが含まれていない路面標示リング１００よりも汚れが付着し難く、酸化チタンの増加に伴って防汚作用が大きくなることが、実地試験により確認された。また、蛍光顔料又は蓄光顔料がコンパウンドされたエラストマで路面標示リング１００を成形すれば、膨出円弧部２０の表面全体を光らせることができ、夜間における視認性がより向上する。
【符号の説明】
【００６２】
１０    路面標示リング
１１    路面標示リングの本体
２０    膨出円弧部
２２    切欠部
２４    線状反射部
２５    線状発光部
２６    反射部材収容溝
２７    発光部材収容部
３０    埋設筒部
３３    線材保持溝
４０    線状反射部材
５０    線状発光部材
Ｌ１    線状部材
Ｍ１    環状溝部
Ｓ１    舗装面
【図１】
2014088693.tif 000003
【図２】
2014088693.tif 000004
【図３】
2014088693.tif 000005
【図４】
2014088693.tif 000006
【図５】
2014088693.tif 000007
【図６】
2014088693.tif 000008
【図７】
2014088693.tif 000009
【図８】
2014088693.tif 000010
【図９】
2014088693.tif 000011
【図１０】
2014088693.tif 000012
【図１１】
2014088693.tif 000013